(57)【要約】【課題】  カメラ付き携帯電話等の画像撮影機器のレンズ部分を覆い、不正撮影を防止するセキュリティシールを提供する。【解決手段】  カメラ付き携帯電話２等の画像撮影機器のレンズ部分３を覆うように、剥離可能な形態で貼り付けることができ、剥がした際に生じる屈曲によって痕跡が発現する特性を持ったシールでセキュリティシール１を構成する。このセキュリティシール１をレンズ部分３を覆うように貼り付けておけば、不正な画像撮影を防止でき、また、万一そのシールを剥がして撮影を試みた場合には再度シールをレンズ部分を覆うように貼ってもシールに剥がした痕跡が残り、不正撮影を認識できる。【選択図】  図１
2005227445.tif 000002
【特許請求の範囲】
【請求項１】
画像撮影機器のレンズ部分を覆うように、前記画像撮影機器に剥離可能な形態で貼り付け可能なシールであって、剥がした際に生じる屈曲によって表面から視認可能な痕跡を発現させる構造を有することを特徴とする撮影防止用セキュリティシール。
【請求項２】
画像撮影機器のレンズ部分を覆うように、前記画像撮影機器に剥離可能な形態で貼り付け可能なシールであって、剥がした際に生じる屈曲によって表面から視認可能な痕跡を発現させる構造のシール本体と、該シール本体の裏面に設けられ、該シール本体を前記画像撮影機器に剥離可能な形態で貼り付けることができると共にシール本体を剥がした際には該シール本体と共に綺麗に剥がれる特性の粘着層を有することを特徴とする撮影防止用セキュリティシール。
【請求項３】
画像撮影機器のレンズ部分を覆う位置に粘着剤の無い非粘着性の領域を備えていることを特徴とする請求項１又は２記載の撮影防止用セキュリティシール。
【請求項４】
前記非粘着性の領域が、前記シール本体の裏面の粘着層に貼り付けられた保護材で構成されていることを特徴とする請求項３記載の撮影防止用セキュリティシール。
【請求項５】
前記シール本体が、透明フィルムと、その裏面に所望のパターンに形成された剥離層と、前記透明フィルムの裏面及び前記剥離層を覆うように形成された印刷層と、該印刷層を覆うように形成された、クッション性と皮膜性を備えたクッション層を備えており、前記シール本体を剥がした際に生じる屈曲により前記透明フィルムから剥離層が剥離して該剥離層の上に形成された印刷層が透明フィルム上に形成された印刷層から浮き剥がれ、剥離層のパターンが視認可能となる構成としたことを特徴とする請求項２から４のいずれか１項記載の撮影防止用セキュリティシール。
【請求項６】
前記透明フィルムと剥離層との境界面及び前記透明フィルムと印刷層との境界面を凹凸としたことを特徴とする請求項５記載の撮影防止用セキュリティシール。
【請求項７】
台紙と、該台紙に粘着層を介して剥離可能に貼り付けられた複数のシール本体を備え、該シール本体は、画像撮影機器のレンズ部分を覆うように、前記画像撮影機器に貼り付け可能な大きさを有すると共に、剥がした際に生じる屈曲によって表面から視認可能な痕跡を発現させる構造を有しており、前記台紙には、前記シール本体を画像撮影機器に貼り付けた時にレンズ部分を覆う位置となる領域を取り囲むように切込みが形成され、前記シール本体を台紙から剥がした際に台紙の前記切込みで囲まれた領域がシール本体に着いてくる構成としたことを特徴とする撮影防止用セキュリティシール供給シート。
【発明の詳細な説明】
【技術分野】
【０００１】
本発明は、セキュリティ分野に関し、更に詳しくは、カメラ付き携帯電話やデジタルカメラ等の画像撮影機器を一時的に撮影不能として、機密性や版権を有する画像の撮影を防止するために用いるセキュリティ媒体に関する。
【背景技術】
【０００２】
従来、セキュリティ媒体として種々のものが開発され、提案されている。例えば、従来の製品としてパチンコ機等の遊戯機を例に挙げると工場出荷の時点から店頭に設置されるまでの間に、包装箱の梱包状態を開梱して遊戯機の制御部分等を改造する等の不正行為がなされる場合がある。このような出荷時から店頭配置までの期間における不正開梱を防止するため、例えば、特開平９−１９２３２１号公報に開示されているように、不正改造がなされやすい遊戯機の制御回路基板等を蓋体で覆って、その蓋体の上部からさらに封印シールを貼ることによって無断開封を防止する等の対策が行われている。
【０００３】
また、容器等に収納した内容物の改ざん防止を目的として、開封事実の無いことを保証する改ざん防止ラベルが使用されている。改ざん防止ラベルとしては、ラベルを貼り付けた容器などの被着体からラベルを剥がすと、被着体に印刷層の一部及び粘着層が残留し、ラベル及び被着体双方にラベルを剥がした跡が残るものが広く普及している。また、特開２００３−３４５２５５号公報には、ラベルを剥がした後、被着体には粘着層が残らず、剥がしたラベルに痕跡が残り、それを再度貼り付けても痕跡を消せない構成のものが提案されている。
【０００４】
カメラ付き携帯電話の場合は、盗撮防止のため、シャッターを切る際に、「カシャ」、「はいポーズ」、「撮りますよー」等の音声が必ず出るように設定し、盗撮を牽制するようにしたものがある。
【特許文献１】特開平９−１９２３２１号公報
【特許文献２】特開２００３−３４５２５５号公報
【発明の開示】
【発明が解決しようとする課題】
【０００５】
最近、高性能なカメラ付き携帯電話やカメラ付きＰＤＡの登場により、不正行為を行おうとするものは、いとも簡単に機密画像、文書等を撮影し、瞬時に所望の場所に送信可能となった。不正行為がなされやすい箇所は、各種研究施設、官庁、企業、美術館、博物館、学校、試験会場、展示会場、映画館、スポーツ競技場、各種商店、書店、デパート等多々ある。前記したように、カメラ付き携帯電話ではシャッターを切る際に音声が出るように設定したものもあるが、このような音声は、雑踏の中では役に立たないし、誰もいない場所では堂々と撮影が可能である。しかも、音声は電子的なものなので、スピーカ等の音声発生素子を破壊しておく、もしくは、音の出ないようにソフトを設定しなおせば全く牽制にならないものであった。当然のことながら通常のデジタルカメラは音声が出るようにはなっておらず、不正撮影の防止対策は採られていない。不正撮影を防止するため、入場の際に注意を促すことも行われているが、必ずも守られるとは限らない。また、入場の際に携帯電話やデジタルカメラ等を一時的に預かるような運用も行われているが、携帯電話やデジタルカメラ等を預かり、帰りに返却するということは、預かり札の発行や、壊さないような取扱や保管が必要となるといった問題がある。また、携帯電話の場合には預けた側では、緊急の連絡がとれないとか、携帯電話に入れている個人情報が盗み見られてしまうのではないかという心配も生じる。
【０００６】
本発明はかかる状況に鑑みてなされたもので、撮影禁止場所に持ち込むカメラ付き携帯電話やデジタルカメラなどの画像撮影機器に対して簡単に取り付け、取り外しができ、不正な画像撮影を防止することの可能なセキュリティ手段を提供することを課題とする。
【課題を解決するための手段】
【０００７】
本発明者らはカメラ付き携帯電話やデジタルカメラなどの画像撮影機器による不正な画像撮影を防止すべく検討の結果、剥がした際に生じる屈曲によって痕跡が残る構成のシールを画像撮影機器のレンズ部分を覆うように貼り付けておけば、不正な画像撮影を防止でき、また、万一そのシールを剥がして撮影を試みた場合には再度シールをレンズ部分を覆うように貼ってもシールに剥がした痕跡が残り、責任の追求を行うことができることを見出し、本発明を完成した。すなわち、本願請求項１に係る発明は、画像撮影機器のレンズ部分を覆うように、前記画像撮影機器に剥離可能な形態で貼り付け可能なシールであって、剥がした際に生じる屈曲によって表面から視認可能な痕跡を発現させる構造を有することを特徴とする撮影防止用セキュリティシールを要旨とする。
【０００８】
請求項２に係る発明は、画像撮影機器のレンズ部分を覆うように、前記画像撮影機器に剥離可能な形態で貼り付け可能なシールであって、剥がした際に生じる屈曲によって表面から視認可能な痕跡を発現させる構造のシール本体と、該シール本体の裏面に設けられ、該シール本体を前記画像撮影機器に剥離可能な形態で貼り付けることができると共にシール本体を剥がした際には該シール本体と共に綺麗に剥がれる特性の粘着層を有することを特徴とする撮影防止用セキュリティシールを要旨とする。
【０００９】
請求項３に係る発明は、請求項１又は２記載の撮影防止用セキュリティシールにおいて、画像撮影機器のレンズ部分を覆う位置に粘着剤の無い非粘着性の領域を設けておくという構成としたものである。
【００１０】
請求項４に係る発明は、請求項３記載の撮影防止用セキュリティシールにおいて、前記非粘着性の領域を、前記シール本体の裏面に設けられている粘着層に貼り付けられた保護材で構成したものである。
【００１１】
請求項５に係る発明は、請求項２から４のいずれか１項記載の撮影防止用セキュリティシールにおいて、前記シール本体を、透明フィルムと、その裏面に所望のパターンに形成された剥離層と、前記透明フィルムの裏面及び前記剥離層を覆うように形成された印刷層と、該印刷層を覆うように形成された、クッション性と皮膜性を備えたクッション層を備えた構造とし、前記シール本体を剥がした際に生じる屈曲により前記透明フィルムから剥離層が剥離して該剥離層の上に形成された印刷層が透明フィルム上に形成された印刷層から浮き剥がれ、剥離層のパターンが視認可能となるように構成したものである。
【００１２】
請求項６に係る発明は、請求項５記載の撮影防止用セキュリティシールにおいて、前記透明フィルムと剥離層との境界面及び前記透明フィルムと印刷層との境界面を凹凸としておくという構成としたものである。
【００１３】
請求項７に係る発明は、台紙と、該台紙に粘着層を介して剥離可能に貼り付けられた複数のシール本体を備え、該シール本体は、画像撮影機器のレンズ部分を覆うように、前記画像撮影機器に貼り付け可能な大きさを有すると共に、剥がした際に生じる屈曲によって表面から視認可能な痕跡を発現させる構造を有しており、前記台紙には、前記シール本体を画像撮影機器に貼り付けた時にレンズ部分を覆う位置となる領域を取り囲むように切込みが形成され、前記シール本体を台紙から剥がした際に台紙の前記切込みで囲まれた領域がシール本体に着いてくる構成としたことを特徴とする撮影防止用セキュリティシール供給シートを要旨とする。
【発明の効果】
【００１４】
本発明の撮影防止用セキュリティシールは、これをカメラ付き携帯電話やデジタルカメラなどの画像撮影機器のレンズ部分を覆うように貼り付けておくことにより、不正な画像撮影を防止でき、また、万一そのシールを剥がして撮影を試みた場合には再度シールをレンズ部分を覆うように貼ってもシールに剥がした痕跡が残り、責任の追求を行うことができるので不正行為を行おうとする者を効果的に牽制できるといった効果を有している。
【００１５】
請求項２に係る発明のセキュリティシールは、上記した効果に加えて更に、画像撮影機器から剥がした際には粘着層ごと綺麗に剥がれ、画像撮影機器に粘着剤が残ることがなく、画像撮影機器の外観を清浄に保つことができるという効果を有している。
【００１６】
請求項３及び４に係る発明のセキュリティシールは、更に、画像撮影機器のレンズ部分に接する位置に粘着層が無いのでレンズを汚すことがないといった効果を有している。
【００１７】
請求項５に係る発明のセキュリティシールは、シール本体を剥がした際に生じる屈曲により透明フィルムから剥離層が剥離して該剥離層の上に形成された印刷層が他の透明フィルム上に形成された印刷層から浮き剥がれ、剥離層のパターンが視認可能となるように構成したことにより、シール本体に剥がした痕跡が確実に残り、シールを剥がしたことを容易に且つ明確に認識することができるという効果を有している。
【００１８】
請求項６に係る発明のセキュリティシールは、透明フィルムと剥離層との境界面及び透明フィルムと印刷層との境界面を凹凸としたことにより、透明フィルムから剥離層が剥離して該剥離層の上に形成された印刷層が透明フィルム上に形成された印刷層から浮き剥がれた際に、剥離層のパターンが一層見易くなり、剥がした痕跡がより明瞭となるという効果を有している。
【００１９】
請求項７に係る発明の撮影防止用セキュリティシール供給シートは、台紙からシール本体を剥がすことにより、そのシール本体には裏面に粘着層が存在し、且つ一部領域に台紙が付着した形態となり、その付着した台紙は、画像撮影機器のレンズ部分を覆う保護材となる。かくして、台紙から単にシール本体を剥がすことにより、請求項４に係る発明の撮影防止用セキュリティシールを提供することができる。
【発明を実施するための最良の形態】
【００２０】
以下、本発明の好適な実施形態を図を用いて説明する。図１は、本実施形態に係る撮影防止用セキュリティシールを、カメラ付き携帯電話に対して使用する状態を説明するものである。図１（ａ）において、セキュリティシール１は、カメラ付き携帯電話（以下被着体という）２のレンズ部分３を覆うように、被着体２に貼り付け、且つ剥がすことができるものであり、図１（ｂ）に示すように、そのセキュリティシール１を被着体２のレンズ部分３を覆うように貼り付けておくことで、画像撮影を防止し、これを剥がした際には、図１（ｃ）に示すように、剥がしたことを示す文字、絵柄等のパターン４が発現し、再度被着体２に貼り付けても発現した文字、絵柄等のパターン４は視認可能な状態で残り、これにより剥がした痕跡を残すものである。かくして、このセキュリティシール１を被着体２のレンズ部分３を覆うように貼り付けておくことで、不正撮影を防止でき、もし、剥がした痕跡が残っていた場合には不正撮影があったかも知れないとして適切な対応を採ることができ、剥がした痕跡が無い場合には、撮影事実の無いことを保証することができる。なお、セキュリティシール１の使用対象は図示したカメラ付き携帯電話に限らず、デジタルカメラや他のカメラなどの任意の画像撮影機器とすることができ、また、セキュリティシール１の形状、寸法は使用対象に応じて適切なものとすればよく、帯状、正方形状、丸形状等種々な形状を採用しうる。以下、セキュリティシール１の構造、材料等について詳細に説明する。
【００２１】
図２（ａ）はセキュリティシール１の概略表面図、（ｂ）はその概略断面図、（ｃ）はその裏面図である。セキュリティシール１は被着体に貼り付けるに適した形状、サイズのシール本体５と、その裏面全面に設けられた粘着層６と、そのほぼ中央に貼り付けられた保護材７を備えている。この保護材７はセキュリティシール１を被着体に貼り付けた際に、その被着体のレンズ部分３（図１参照）を覆う位置に配置されており、レンズ部分３を覆って保護することができるよう非粘着性の表面を備えたものである。このセキュリティシール１は、離型紙又は離型フィルムからなる台紙に貼り付けた形態で取り扱われ、使用の際に台紙から剥がして、被着体に貼り付けられるが、後述するように、その台紙の一部で保護材７を形成することが好ましい。図４はセキュリティシール１のシール本体５と粘着層６を更に拡大して示す概略断面図である。図２、図４においてシール本体５は、透明フィルム１０と、その裏面に所望のパターンに形成された剥離性を有する剥離層１１と、透明フィルム１０の裏面及び剥離層１１を覆うように形成された印刷層１２と、印刷層１２を覆うように形成された、クッション性と皮膜性を備えたクッション層１３を備えており、そのクッション層１３の表面に粘着層６が形成されている。透明フィルム２の表面には、特殊なマット加工を施しても良い。
【００２２】
透明フィルム１０は、ポリエチレンテレフタレート（ＰＥＴ）、ポリ塩化ビニル（ＰＶＣ）、ポリプロピレン（ＰＰ）、ポリスチレン（ＰＳ）、ポリカーボネート（ＰＣ）等の透明な高分子フィルムで形成されており、この実施形態では両面インライン製膜易接着コート処理品が用いられている。表面にオリジナル印刷を施しておいても良い。
【００２３】
剥離層１１は、シール本体５を剥がす際にシール本体に生じる屈曲により透明フィルム１０から剥離する剥離性を備えたものであり、具体的には、ＵＶ（紫外線硬化型）シリコン樹脂が好ましく用いられるが、それに限らず、シリコン系、フッ素樹脂系、マット粒子系、ステアリルアクリレート等高級アルコールのアクリル酸エステルに代表される油脂系、ニトロセルロースに代表されるセルロースエステル、エーテル系にて剥離層１１を形成してもよい。剥離層１１に付与するパターンは、「ＶＯＩＤ」、「開封済」等の文字、あるいは適当な絵柄、地紋等とすることができ、凸版印刷、フレキソ印刷、スクリーン印刷等により形成する。これにより、剥離時にこれらの文字、絵柄等のパターンが浮かびあがる。
【００２４】
印刷層１２は、被着体に貼り付けたセキュリティシール１を剥がした際に現れる印刷を施したもので、セキュリティシール１を剥がした際に透明フィルム１０から剥離する剥離層１１のパターンを表示する。
【００２５】
クッション層１３は、縮む応力を持っていて、透明フィルム１０に印刷層１２を介して接着されるいる面の一部が、剥離層１１の剥離等によって解放されるとこの部分が縮み、不可逆的に弾性変形する特性のものである。このクッション層１３は、ＵＶ樹脂又はホットメルト、ドライラミネート等の手段を用いて同一ライン上で処理できるコーティング層を塗布、又はラミネートすることにより形成される。クッション層１３として、具体的には、ウレタンアクリレート系、ポリエステルアクリレート系、ポリマーのアクリルモノマー溶解物等を用いることができる。これらのウレタンアクリレート系、ポリエステルアクリレート系、ポリマーのアクリルモノマー溶解物等は、塗布後、縮む応力をもって固化するので、上記したクッション層１３に要求される特性を備えている。
【００２６】
粘着層６は、シール本体５を被着体に対して剥離可能な形態で貼り付けるためのもので、剥がした際には粘着層６が被着体に残らずシール本体５と一緒に綺麗に剥がれるものが好ましく、具体的には、クッション層１３の表面にゴム弾性を持った各種粘着剤を塗布することにより形成される。粘着剤の種類及び粘着特性は被着体の表面特性に応じて適切に選定すればよい。
【００２７】
セキュリティシール１の使用に当たっては、このセキュリティシール１が、図３に示すように、保護材７を被着体２のレンズ部分３を覆う位置とし、被着体２の筐体に貼り付けられる。これにより、撮影が不能となる。またレンズ部分３には保護材７が位置しているため、これがレンズを保護することとなり、レンズに粘着剤が付着して汚すとか傷つけるいうことがない。被着体２に貼り付けられたセキュリティシール１を剥がそうとすると、図５に示すように、セキュリティシール１が屈曲し、その際、透明フィルム１０の屈曲に剥離層１１が追従しきれず、透明フィルム１０から剥離し、クッション層１３が持っていた縮み応力によって剥離層１１及びその上の印刷層１２ａがクッション層１３側に引き込まれ、その印刷層１２ａは透明フィルム１０裏面に接する位置に形成されている印刷層１２ｂから切断される。そして、剥離した剥離層１１及びその上の印刷層１２ａは、クッション層１３の不可逆的な弾性変形によりクッション層１３内に食い込んだ状態に保持され、その状態でセキュリティシール１が被着体２から剥がされる。すなわち、図６に示すように、剥がした後のセキュリティシール１は、それを元の真っ直ぐな状態に戻しても、クッション層１３の不可逆的な弾性変形により、剥離層１１及びその上の印刷層１２ａは透明フィルム１０から離れてクッション層１３内に食い込んだ状態に保持され、透明フィルム１０と剥離層１１の間に隙間Ｓが生じ、印刷層１２ａと印刷層１２ｂの透明フィルム１０からの位置ずれが生じたままの状態に保持される。このため、剥離層１１を設けた領域（印刷層１２ａ）は隙間Ｓの存在により半透明のようになって印刷層１２ａの色が変化し、一方、剥離層１１を設けていない領域（印刷層１２ｂ）は透明フィルム１０に密着した状態に保たれるため元の色を保っている。これにより、剥離層１１で形成した「ＶＯＩＤ」等のパターンが発現し、剥がした痕跡が残る。発現した「ＶＯＩＤ」等のパターンは、このセキュリティシール１を再度被着体２に貼り付けたとしても消えることはなく、従って、被着体２にセキュリティシール１が貼り付けられていても、その表面を見ることで剥がしたか否かを容易に認識できる。かくして、このセキュリティシール１をカメラ付き携帯電話等の被着体に貼り付けておくことで、不正な撮影を防止でき、また、セキュリティシール１を剥がして撮影したか否かを容易に認識できる。使用後には、セキュリティシール１を被着体２から剥がして捨てれば良い。この際、セキュリティシール１は粘着層６及び保護材７と共に被着体から綺麗に剥がれるので、被着体２には、粘着層６、印刷層１２、剥離層１１などが何ら残らず、被着体のレンズ部分や筐体等にいかなる残渣も生じない。このため、被着体の外観を清浄に保つことができ、被着体の使用者に不快感を与えることがない。
【００２８】
上記実施形態では、透明フィルム１０と剥離層１１との境界面及び透明フィルム１０と印刷層１２との境界面を単に平滑としているが、平滑面を利用する代わりに、透明フィルム１０と剥離層１１との境界面及び透明フィルム１０と印刷層１２との境界面に梨模様等の凹凸を形成しておいてもよい。このような凹凸を形成しておくと、図６に示すように、透明フィルム１０と剥離層１１との間に隙間Ｓが生じた際に、剥離層１１を設けていない領域（印刷層１２ｂ）では色の変化が生じないのに対し、剥離層１１を設けている領域（印刷層１２ａ）では、印刷層１２ａに対する透明度が一層低下する。これにより、剥離層１１で形成した「ＶＯＩＤ」等のパターンが一層明確に発現し、より認識しやすくなるといった利点が得られる。
【００２９】
次に、上記構成のセキュリティシール１の製造方法を説明する。まず、図７（ａ）に示すように、透明フィルム１０を形成するための、広い面積の（連続帯状或いはカット紙状の）フィルム（例えば、マット加工フィルム）１０Ａの裏面に剥離効果のある成分からなる剥離層１１を印刷する。次に、剥離層１１を覆うように所望とする色数の印刷（印刷層１２）を施し、印刷層１２を覆うようにＵＶ樹脂又はホットメルト、ドライラミネート等の手段を用いて同一ライン上で処理できる、クッション性と皮膜性を持つコーティング層（クッション層１３）を塗布又はラミネートする。そしてクッション層１３を覆うように粘着剤（粘着層６）を塗布する。次いで、粘着層６に離型紙１５あるいは離型フィルムをラミネートし、その後、表面側（透明フィルム１０Ａ側）から、製造しようとするセキュリティシール１（図２参照）の形状の抜き刃で抜き（粘着層６まで刃を入れ）、図８（ａ）に示すように、表面側に多数の切込み１６を入れる。また、裏面側（離型紙１５側）から保護材７（図２参照）の形状の抜き刃で抜き（粘着層６まで刃を入れ）、図８（ｂ）に示すように裏面側に多数の切込み１７を入れる。ここで、切込み１７を入れる位置は、上面側の切込みで囲まれた領域のほぼ中央となるように、すなわち、図２に示すセキュリティシール１の裏面の保護材７を貼り付ける位置となるに定めておく。その後、表面側のフィルム１０Ａの不要な部分及びそれに接着している印刷層、クッション層、粘着層等を除去する。これにより、図７（ｂ）に示すように、離型紙１５上に、透明フィルム１０、剥離層１１、印刷層１２、クッション層１３を積層した構造のシール本体５が、島状に粘着層６を介して貼り付けられた構造となる。その後、離型紙１５を所望の納入形態にカットする。これにより、図９（ａ）、（ｂ）に示す形態のセキュリティシール供給シート２０が製造される。
【００３０】
このようにして製造されたセキュリティシール供給シート２０は、離型紙１５で形成される台紙の表面に、粘着層を介して剥離可能に複数のシール本体５を島状に貼り付けた構造となっており、そのシール本体５は、被着体のレンズ部分を覆うように、被着体に貼り付け可能な大きさを有すると共に、被着体から剥がした際に生じる屈曲によって表面から視認可能な痕跡を発現させる構造を有している。また、台紙１５には、図９（ｂ）、図１０（ａ）に示すように、シール本体５を被着体に貼り付ける時にレンズ部分を覆う位置となる領域を取り囲むように切込み１７が形成され、シール本体５を台紙１５から剥がした際に台紙１５の切込み１７で囲まれた領域がシール本体５に着いてくる構成となっている。かくして、使用に当たっては、セキュリティシール供給シート２０から図１０（ｂ）に示すように、一つのシール本体５を剥がすことにより、シール本体５の裏面に粘着層６が存在し、そのほぼ中央に台紙１５の一部が保護材７として付着した構造のセキュリティシール１が形成されることとなるので、それを携帯電話等の被着体に貼り付ければよい。なお、台紙１５からシール本体５を剥がす際に、シール本体５が屈曲する可能性はあるが、台紙１５は離型紙あるいは離型フィルムで形成されているので、シール本体５に対する接着力はきわめて弱く、このため、剥がしてもその痕跡を発現することはなく、支障なく使用できる。
【００３１】
上記実施形態では、セキュリティシール１のレンズ部分に対向する位置に台紙１５の一部を保護材７として貼り付け、レンズに汚れや傷が付かないように保護する構成としているが、この構成に代えて、粘着層６に、紙、フィルム、不織布等からなるレンズ保護用のラベルを保護材７として付与しそのあとで離型紙または離型フィルムを貼り付ける構成としてもよい。また、保護材７を用いる代わりに、シール本体５のレンズ部分に対応する領域には粘着層を形成せず、非粘着性の表面としておいてもレンズ部分の保護を図ることができる。更に、上記実施形態では、剥がした際にその痕跡を生じさせるためのシール本体５として、図４、図５、図６に示す構造のものを用いているが、本発明はこの構造に限らず、剥がした際の屈曲によって、隠れていた文字、模様等が現れるとか、逆に文字、模様等が脱落することなどによって剥がした痕跡を残し得る特性を持った他の構造のものも適宜使用可能である。
【図面の簡単な説明】
【００３２】
【図１】（ａ）、（ｂ）、（ｃ）は、本発明の実施形態に係るセキュリティシールをカメラ付き携帯電話に対して使用する方法を説明する概略平面図
【図２】（ａ）、（ｂ）、（ｃ）は、本発明の実施形態に係るセキュリティシールの概略表面図、概略断面図、概略裏面図
【図３】図２に示すセキュリティシールを被着体に貼り付けた状態を示す概略断面図
【図４】図２に示すセキュリティシールの一部を拡大して示す概略断面図
【図５】図４に示すセキュリティシールを剥がす際の状態で示す概略断面図
【図６】剥がした後のセキュリティシールの一部を示す概略断面図
【図７】（ａ）、（ｂ）は、セキュリティシールを製造途中の状態で示す概略断面図
【図８】（ａ）、（ｂ）は、セキュリティシールを製造途中の状態で示す概略表面図及び概略裏面図
【図９】（ａ）、（ｂ）は、本発明の実施形態に係るセキュリティシール供給シートの概略表面図及び概略裏面図
【図１０】（ａ）は図９に示すセキュリティシール供給シートの一部を拡大して示す概略断面図、（ｂ）はそのセキュリティシール供給シートの台紙からシール本体を剥がした状態を示す概略断面図
【符号の説明】
【００３３】
１  セキュリティシール
２  カメラ付き携帯電話（被着体）
３  レンズ部分
４  パターン
５  シール本体
６  粘着層
７  保護材
１０  透明フィルム
１１  剥離層
１２、１２ａ、１２ｂ  印刷層
１３  クッション層
１５  離型紙（台紙）
１６、１７  切込み
２０  セキュリティシール供給シート
【図１】
2005227445.tif 000003
【図２】
2005227445.tif 000004
【図３】
2005227445.tif 000005
【図４】
2005227445.tif 000006
【図５】
2005227445.tif 000007
【図６】
2005227445.tif 000008
【図７】
2005227445.tif 000009
【図８】
2005227445.tif 000010
【図９】
2005227445.tif 000011
【図１０】
2005227445.tif 000012